(57)【要約】【課題】聴取中のプログラムと別のプログラムで放送されている文字情報をユーザに視読させるのに好適な放送受信機を提供すること。【解決手段】文字情報が多重されたデジタルオーディオプログラムを受信してデコードする第一、第二の少なくとも２つのチューナと、第一のチューナによる受信可能なデジタルオーディオプログラムのデコード結果から所定の条件を満たす文字情報を検索する文字情報検索手段と、第二のチューナによりデコードされたデジタルオーディオプログラムを音声再生中、検索された文字情報を表示画面に表示する表示手段とを有する放送受信機を提供する。【選択図】図２
2012100097.tif 000002
【特許請求の範囲】
【請求項１】
文字情報が多重されたデジタルオーディオプログラムを受信してデコードする第一、第二の少なくとも２つのチューナと、
前記第一のチューナによる受信可能なデジタルオーディオプログラムのデコード結果から所定の条件を満たす文字情報を検索する文字情報検索手段と、
前記第二のチューナによりデコードされたデジタルオーディオプログラムを音声再生中、前記検索された文字情報を表示画面に表示する表示手段と、
を有することを特徴とする放送受信機。
【請求項２】
前記表示手段は、前記第二のチューナがデコードするデジタルオーディオプログラムに多重された文字情報も前記表示画面に表示することを特徴とする、請求項１に記載の放送受信機。
【請求項３】
前記検索された文字情報を選択する操作入力が検知されたとき、該文字情報が多重されたデジタルオーディオプログラムに切り替えて出力再生することを特徴とする、請求項１又は請求項２に記載の放送受信機。
【請求項４】
前記受信可能なデジタルオーディオプログラムをシークするシーク手段と、
前記シークされたデジタルオーディオプログラムをプリセットしてプログラムリストを作成するプログラムリスト作成手段と、
を有し、
前記文字情報検索手段は、前記プログラムリストに従って前記第一のチューナの選局を制御することを特徴とする、請求項１から請求項３の何れか一項に記載の放送受信機。
【請求項５】
前記文字情報検索手段によるプログラムの検索範囲は、設定自在であることを特徴とする、請求項１から請求項４の何れか一項に記載の放送受信機。
【請求項６】
ＤＡＢ（Digital Audio Broadcast）方式の信号フォーマットにより伝送される放送信号を受信するのに適したことを特徴とする、請求項１から請求項５の何れか一項に記載の放送受信機。
【請求項７】
前記文字情報は、ＤＬ又はＤＬ＋により定義されるテキストであることを特徴とする、請求項６に記載の放送受信機。
【請求項８】
移動体に搭載されたことを特徴とする、請求項１から請求項７の何れか一項に記載の放送受信機。
【発明の詳細な説明】
【技術分野】
【０００１】
本発明は、放送受信機に関連し、詳しくは、文字情報が多重されたデジタルオーディオ放送信号を受信するのに適した放送受信機に関する。
【背景技術】
【０００２】
近年、音響機器や映像機器等において音声や映像をデジタル符号化処理することが一般化している。このような音響機器等における音声や映像のデジタル符号化の趨勢はラジオ放送の分野にも波及し、幾つかの方式のデジタルラジオ放送が規格化され、実用化されている。その一つに、例えばＤＡＢ（Digital Audio Broadcast）が知られている。ＤＡＢは、ＥＵＲＥＫＡ（European Research Coordination Agency）のプロジェクト１４７で規格化されたデジタルオーディオ放送規格であり、世界各国で実用放送され又は試験放送されている。ＤＡＢは、伝送方式としてＯＦＤＭ（Orthogonal Frequency Division Multiplex）を採用し、音声符号化にはMPEG Audio Layer 2を採用している。例えば非特許文献１にＤＡＢの仕様が公開されている。
【０００３】
ＤＡＢの伝送フォーマットにおいては、約１．５ＭＨｚ帯域の一つのチャンネル（アンサンブル）の中に複数のサービス（プログラム）が多重されている。ＤＡＢの伝送フレーム（Transmission Frame）には、各プログラムのオーディオデータの他に例えば各プログラムのオーディオデータと関連するＰＡＤ（Programme Associated Data）が多重されている。ＤＡＢの伝送フレームのＸ−ＰＡＤ（eXtended Programme Associated Data）には、例えばＤＬ（Dynamic Label）が多重されている。ＤＬは、テキストメッセージ（ＤＬメッセージ）を付加したプログラムを提供するＤＡＢの機能の一つである。ＤＬメッセージは、プログラムと関連した最大１２８文字のテキストである。ＤＬメッセージを画面に表示可能な放送受信機の構成例は、例えば特許文献１〜５に記載されている。
【０００４】
ＤＬの拡張としてＤＬ  Ｐｌｕｓ（以下、説明の便宜上、「ＤＬ＋」と記す。）が策定されている。ＤＬ＋では、"ITEM.TITLE", "ITEM.ARTIST", "INFO．NEWS”等を含む計６４種類のコンテントタイプが定義されている。ＤＬ＋は、ＤＬ＋タグで指定されたコンテントタイプの文字列をＤＬメッセージから抽出して、指定コンテントタイプと抽出文字列からなるＤＬ＋オブジェクトを生成する。ＤＬ＋はＤＬと異なり、例えば一つのプログラムアイテム（一曲、１コーナー等を１単位とするタイムスライス）を放送中、ユーザが視読したい情報を画面に表示し続けることができる。ＤＬ＋の詳細は、非特許文献２として挙げた仕様書に記載されている。
【先行技術文献】
【特許文献】
【０００５】
【特許文献１】特開平１０−１５０３７７号公報
【特許文献２】特開平２００１−２５７６０９号公報
【特許文献３】特開平２００２−３３５１７３号公報
【特許文献４】特開平２００２−３４４３３７号公報
【特許文献５】特開平２００４−４８３８９号公報
【非特許文献】
【０００６】
【非特許文献１】ETSIEN 300 401 V1.4.1 (2006-06), "Radio Broadcasting Systems; Digital Audio Broadcasting (DAB) to mobile, portable and fixed receivers",［平成２２年１０月１８日検索］、インターネット<URL: http://www.etsi.org/deliver/etsi_en/300400_300499/300401/01.04.01_40/en_300401v010401o.pdf>
【非特許文献２】ETSI TS 102 980 V1.1.1 (2008-09), "Digital Audio Broadcasting (DAB); Dynamic Label Plus (DLPlus); Application specification",［平成２２年１０月１８日検索］、インターネット<URL: http://www.etsi.org/deliver/etsi_ts/102900_102999/102980/01.01.01_60/ts_102980v010101p.pdf>
【発明の概要】
【発明が解決しようとする課題】
【０００７】
ところで、ＤＬ、ＤＬ＋は、関連するプログラムにのみ多重され、放送事業者によりプログラムごとに独立に提供されている。そのため、一つのプログラムの聴取中は、他のプログラムに多重されているＤＬ、ＤＬ＋をデコードすることができない。従って、聴取中のプログラムに関連するＤＬメッセージや情報しか画面表示することができない。別のプログラムで放送されている情報を視読したい場合は、聴取を中断してプログラムを切り替えなければならないという不都合が指摘される。
【０００８】
本発明は上記の事情に鑑みてなされたものであり、その目的とするところは、聴取中のプログラムと別のプログラムで放送されている文字情報をユーザに視読させるのに好適な放送受信機を提供することである。
【課題を解決するための手段】
【０００９】
上記の課題を解決する本発明の一形態に係る放送受信機は、文字情報が多重されたデジタルオーディオプログラムを受信してデコードする第一、第二の少なくとも２つのチューナと、第一のチューナによる受信可能なデジタルオーディオプログラムのデコード結果から所定の条件を満たす文字情報を検索する文字情報検索手段と、第二のチューナによりデコードされたデジタルオーディオプログラムを音声再生中、検索された文字情報を表示画面に表示する表示手段とを有することを特徴としたものである。
【００１０】
本発明に係る放送受信機によれば、ユーザは、一つのデジタルオーディオプログラムを聴取すると共に、別のプログラムで放送されている文字情報を視読することができる。そのため、聴取したい別のデジタルオーディオプログラムやその関連情報を速やかかつ簡単に発見することができる。
【００１１】
表示手段は、第二のチューナがデコードするデジタルオーディオプログラムに多重された文字情報も表示画面に表示してもよい。
【００１２】
本発明に係る放送受信機は、文字情報検索手段によって検索された文字情報を選択する操作入力が検知されたとき、該文字情報が多重されたデジタルオーディオプログラムに切り替えて出力再生してもよい。
【００１３】
本発明に係る放送受信機は、受信可能なデジタルオーディオプログラムをシークするシーク手段と、シークされたデジタルオーディオプログラムをプリセットしてプログラムリストを作成するプログラムリスト作成手段とを有する構成としてもよい。この場合、文字情報検索手段は、プログラムリストに従って第一のチューナの選局を制御する。
【００１４】
文字情報検索手段によるプログラムの検索範囲は、設定自在であってもよい。
【００１５】
本発明に係る放送受信機は、ＤＡＢ方式の信号フォーマットにより伝送される放送信号を受信するのに適した装置としてもよい。
【００１６】
上記文字情報は、例えばＤＬ又はＤＬ＋により定義されるテキストである。
【００１７】
本発明に係る放送受信機は、一般乗用車等の移動体に搭載された機器であってもよい。
【発明の効果】
【００１８】
本発明によれば、聴取中のプログラムと別のプログラムで放送されている文字情報をユーザに視読させるのに好適な放送受信機が提供される。
【図面の簡単な説明】
【００１９】
【図１】本発明の実施形態の放送受信機の構成を示すブロック図である。
【図２】本発明の実施形態において実行される情報検索処理のフローチャートを示す図である。
【図３】本発明の実施形態において所定の記憶領域に保持されるプログラムリストを概念的に示すリスト概念図である。
【図４】図２の情報検索処理を実行したときの表示器の画面表示例を示す図である。
【発明を実施するための形態】
【００２０】
以下、図面を参照して、本発明の実施形態の放送受信機について説明する。本実施形態の放送受信機は、ＤＡＢ方式によるデジタル音声放送の受信に適したラジオである。
【００２１】
図１は、本実施形態の放送受信機１の構成を示すブロック図である。放送受信機１は、車載型の放送受信機であり、一般乗用車等に装備される。放送受信機１は、ＤＡＢ方式によるデジタル音声放送に適合して設計され、当該方式の信号フォーマットによる放送信号を受信して処理するように構成されている。
【００２２】
図１に示されるように、放送受信機１の構成は、制御ブロック１０、入出力ブロック２０、ＤＡＢ機能ブロック３０、その他の機能ブロック４０に大別される。
【００２３】
制御ブロック１０は、ＣＰＵ（Central Processing Unit）１１、電源回路部１２、メモリ部１３を有している。ＣＰＵ１１は、放送受信機１の動作を統括的に制御する。電源回路部１２は、図示省略されたバッテリから供給される電圧を昇圧等して、ＣＰＵ１１をはじめとする各回路に供給する。図１において、電源回路部１２は、図面を明瞭にする便宜上、ＣＰＵ１１以外の回路との結線が省略されている。メモリ部１３には、本実施形態で説明する処理をＣＰＵ１１に実行させるための各種プログラム及びデータが記憶されている。また、メモリ部１３には、当該処理の実行中に一時的に必要なデータがキャッシュされる。
【００２４】
入出力ブロック２０は、ＨＭＩ（Human Machine Interface）２１、スピーカ２２を有している。ＨＭＩ２１は、表示器２１Ａとキー２１Ｂを有している。ＨＭＩ２１の具体的態様としては、ハードウェア又はソフトウェア若しくはそれらを組み合わせた種々のＵＩ（User Interface）が想定される。この種のＵＩには、例えば、放送受信機１本体のフロントパネルに実装されたメカニカルスイッチキー、メンブレンキー、タッチパネル環境下で提供されるＧＵＩ（Graphical User Interface）、操作キーが実装されたリモートコントローラ等が挙げられる。
【００２５】
その他の機能ブロック４０には、例えばカーナビゲーションシステム、ＦＭ／ＡＭ放送受信モジュール、記録メディア再生システム等が挙げられる。その他の機能ブロック４０は周知の構成であるため詳細な説明を省略する。
【００２６】
ＤＡＢ機能ブロック３０は、ＤＡＢ方式によるデジタル音声放送の受信に適したチューナを二系統有している。具体的には、ＤＡＢ機能ブロック３０は、アンテナ３１Ａ、３１Ｂ、フィルタ３２Ａ、３２Ｂ、ＲＦＩＣ（Radio Frequency Integrated Circuit）３３Ａ、３３Ｂ、ＤＡＢデコーダ３４Ａ、３４Ｂ、マイクロコンピュータ３５、ＤＡＣ（Digital to Analog Converter）３６、オーディオ回路３７を有している。以下、説明の便宜上、一系統のチューナ（アンテナ３１Ａ、フィルタ３２Ａ、ＲＦＩＣ３３Ａ、ＤＡＢデコーダ３４Ａ）を「チューナＡ」と記し、もう一系統のチューナ（アンテナ３１Ｂ、フィルタ３２Ｂ、ＲＦＩＣ３３Ｂ、ＤＡＢデコーダ３４Ｂ）を「チューナＢ」と記す。
【００２７】
マイクロコンピュータ３５は、ＣＰＵ１１と連係動作してＤＡＢ機能ブロック３０の構成要素を統括的に制御する。マイクロコンピュータ３５は、ＨＭＩ２１に対するユーザの操作入力に従って出力再生するアンサンブル及びプログラムを指定する。
【００２８】
チューナＡにおける信号処理を説明する。アンテナ３１Ａで受信された放送電波は、フィルタ３２Ａを介してＲＦＩＣ３３Ａに入力する。ＲＦＩＣ３３Ａは、マイクロコンピュータ３５が指定したアンサンブルの周波数の電波に同調してその放送信号をＤＡＢデコーダ３４Ａに出力する。ＤＡＢデコーダ３４Ａは、入力した放送信号にＡＤ変換、ＩＱ復調、ＦＦＴ（Fast Fourier Transform）等を施してＤＱＰＳＫ（Differential Quadrature Phase Shift Keying）復調し、ＤＡＢフレームデータを得る。
【００２９】
ＤＡＢフレームデータは、同期チャンネル（Synchronization Channel）、ＦＩＣ(Fast Information Channel)、ＭＳＣ（Main Service Channel）からなる。ＤＡＢデコーダ３４Ａは、ＦＩＣデータにビタビ復号、ＢＥＲ（Bit Error Rate）算出、デスクランブル、ＣＲＣ（Cyclic Redundancy Check）等の処理を施してマイクロコンピュータ３５に出力する。マイクロコンピュータ３５への出力データには、放送受信機１がプログラムを選局するのに必要な情報やプログラムに対する補助情報等が含まれる。
【００３０】
ＭＳＣデータには、選局されたアンサンブルに属する全てのプログラムのデータが含まれている。ＤＡＢデコーダ３４Ａは、ＭＳＣデータからマイクロコンピュータ３５が指定したプログラムのデータを分離して、タイム・デ・インターリーブ、ビタビ復号、ＢＥＲ算出、デスクランブル、ＣＲＣ等を行い、ＤＡＢオーディオフレーム（DAB audio frame）を得る。ＤＡＢデコーダ３４Ａは、ＤＡＢオーディオフレームをデコードし、デコードされたオーディオデータをＤＡＣ３６に出力すると共に、ＤＡＢオーディオフレームの終端に位置するＸ-ＰＡＤをマイクロコンピュータ３５に出力する。なお、チューナＢにおける信号処理は、チューナＡにおける信号処理と実質的に同じである。重複記載を避ける便宜上、チューナＢにおける信号処理の説明は省略する。
【００３１】
ＤＡＣ３６は、入力したオーディオデータをアナログオーディオ信号に変換してオーディオ回路３７に出力する。オーディオ回路３７は、入力したアナログオーディオ信号をボリュームに応じた増幅率によって利得調整してスピーカ２２に出力する。スピーカ２２は、入力したアナログオーディオ信号を出力再生する。
【００３２】
Ｘ-ＰＡＤには、ＤＬ、ＤＬ＋が多重されている場合がある。ＤＬ、ＤＬ＋の有無、更新、消去等は、トグルビットやコマンドにより検知される。マイクロコンピュータ３５は、Ｘ-ＰＡＤに多重されているＤＬ、ＤＬ＋をデコードして、その結果（アーティスト名や曲名、ニュースヘッドライン等の情報）を表示器２１Ａに出力して表示させる。
【００３３】
一つのプログラムアイテムに対して複数種類のＤＬメッセージが多重されている場合がある。以下に、一つのプログラムアイテムに多重されたＤＬにより提供される３つのＤＬメッセージ１〜３を示す。当該プログラムアイテムの放送中は、ＤＬメッセージ１〜３が順に更新表示される。そのため、タイミングによっては、本来知りたかった内容を記述したＤＬメッセージをユーザが見逃す虞がある。
・ＤＬメッセージ１
This program is This week's Count Down 10 by Radio 7.
・ＤＬメッセージ２
You are listening to "House of the Rising Sun" by Eric Burdon.
・ＤＬメッセージ３
Lee Hazlewood, who wrote Nancy Sinatra's "These Boots Were Made For Walkin" dies of cancer aged 78.
【００３４】
これに対して、ＤＬ＋では、ＤＬメッセージ中の所望のコンテントタイプの文字列を表示器２１Ａに表示し続けることができる。例えばＤＬメッセージ２から以下の情報を持つ２つのＤＬ＋オブジェクトが生成される場合を考える。
・ＤＬ＋オブジェクト１
Content type: Title
Text       : House of the Rising Sun
・ＤＬ＋オブジェクト２
Content type: Artist
Text       : Eric Burdon
【００３５】
この場合、ＤＬ＋オブジェクト１、２が持つ情報（Title " House of the Rising Sun", Artist " Eric Burdon"）は、非特許文献２のP26, "B.2 Examples for navigation and display use", Figure B.2に例示されるように、ＤＬメッセージ３の表示中であっても表示器２１Ａに表示される。説明の便宜上、ＤＬ＋オブジェクトが持つ情報を「ＤＬ＋通知テキスト」と記す。ＤＬメッセージ３が所定のタイミングで次のＤＬメッセージ（例えばＤＬメッセージ１）に更新されるのに対して、ＤＬ＋オブジェクト１、２のＤＬ＋通知テキストの表示は、当該プログラムアイテムの放送中継続する。
【００３６】
しかし、非特許文献２のP26, "B.2 Examples for navigation and display use", Figure B.2の例では、表示器２１Ａに同時に表示可能な情報が放送中のプログラムアイテムに関連する情報に限られる。そのため、ユーザは、他のプログラムで興味ある楽曲や情報が放送されていたとしてもそれを知る由がない。このような不都合を解消すべく、本実施形態の放送受信機１は、次に説明する情報検索処理を実行する。
【００３７】
図２は、本実施形態で実行される情報検索処理のフローチャートを示す。情報検索処理は、チューナＡによるオーディオプログラムの再生中、チューナＢを用いて実行される。情報検索処理は、チューナＢによるオーディオプログラムの再生中であれば、チューナＡを用いて実行される。説明の便宜上、本明細書中の説明並びに図面において、処理ステップは「Ｓ」と省略して記す。
【００３８】
図２に示されるように、Ｓ１の処理では、マイクロコンピュータ３５は、ユーザの操作入力に従って検索対象のコンテントタイプを指定する。Ｓ２〜Ｓ５の処理では、マイクロコンピュータ３５は、チューナＡによるオーディオプログラムの再生中、チューナＢの動作を制御する。チューナＢは、受信可能な全周波数帯域のアンサンブルの選局及びプログラムのデコードをチューナＡと別個独立に行う。マイクロコンピュータ３５は、デコード結果からＳ１の処理で指定されたコンテントタイプを定義するＤＬ＋タグ（以下、説明の便宜上、「指定ＤＬ＋タグ」と記す。）を検索する。
【００３９】
具体的には、Ｓ２の処理では、一つのアンサンブルが選局される。Ｓ３の処理では、選局されたアンサンブルに属する一つのプログラムがデコードされる。ＤＬ、ＤＬ＋は、各ＤＡＢオーディオフレームのＸ-ＰＡＤに多重され、繰り返し放送されている。プログラムのデコードは、繰り返し放送されるＤＬ、ＤＬ＋を確実に捕捉するため、一プログラムにつき数秒〜数十秒程度試行される。Ｓ４の処理では、デコード結果から指定ＤＬ＋タグの有無が判定される。デコードされたプログラムに指定ＤＬ＋タグが多重されている場合（Ｓ４：ＹＥＳ）、処理はＳ６に進む。当該プログラムに指定ＤＬ＋タグが多重されていない場合は（Ｓ４：ＮＯ）、次に示す処理（１）又は（２）が行われる。
（１）選局中のアンサンブルに未デコードのプログラムが残っていれば（Ｓ５：ＮＯ）、Ｓ３の処理に戻り、当該アンサンブル中の残りのプログラムのデコード及び指定ＤＬ＋タグの有無の判定を行う。
（２）選局中のアンサンブルに属する全てのプログラムをデコードした場合（Ｓ５：ＹＥＳ）、Ｓ２の処理に戻って次のアンサンブルを選局し、プログラムのデコード及び指定ＤＬ＋タグの有無の判定を行う。
【００４０】
Ｓ２〜Ｓ５の処理は、例えば所定のプログラムリストを利用して行われる。図３は、マイクロコンピュータ３５の内蔵メモリやメモリ部１３等の記憶領域に保持されるプログラムリストを概念的に示すリスト概念図である。例えば受信可能な全周波数帯域をシークして各アンサンブル、プログラムを自動プリセットすると、当該リストが完成する。図３の例では、アンサンブル（図中"Ensemble"）Ｈ、Ｊ、Ｋ、Ｌ・・・Ｎに属する各プログラムが順にリストされている。プログラムリストを予め用意した場合、検索範囲のプログラムの選択がスムーズに行われ、Ｓ２〜Ｓ５の処理の実行に好適である。
【００４１】
図３の例によれば、チューナＢは、チューナＡによるアンサンブルＫに属するプログラムｋの再生中、図中矢印に示される順序でプログラムリスト内の各アンサンブルを選局して各プログラムをデコードする。アンサンブルＨ〜Ｎの選局及び各プログラムのデコードは、指定ＤＬ＋タグが検索されるまで、又は本フローチャートに示す情報検索処理の実行停止を指示する操作が行われるまで、若しくは電源オフ等によりシステムが停止されるまで、繰り返し行われる。
【００４２】
Ｓ６の処理では、マイクロコンピュータ３５は、検索された指定ＤＬ＋タグのコンテントタイプ（つまりユーザが指定したコンテントタイプ）の文字列を当該ＤＬメッセージから抽出してＤＬ＋オブジェクトを生成する。Ｓ７の処理では、マイクロコンピュータ３５は、チューナＡがデコードしたプログラムのＤＬメッセージやＤＬ＋通知テキストと共に、Ｓ６の処理で生成されたＤＬ＋オブジェクトのＤＬ＋通知テキストを表示器２１Ａに表示させる。
【００４３】
図４は、図２の情報検索処理を実行したときの表示器２１Ａの画面表示例を示す。図４（ａ）は、コンテントタイプを指定するためのＧＵＩを示す。ユーザは、ＨＭＩ２１によるキー操作やタッチ操作を行い、所望のコンテントタイプを指定する。図４（ａ）の例では、コンテントタイプ"NEWS", "SPORTS"が指定される。ここで、例えばチューナＡによるアンサンブルＫに属するプログラムｋの再生中、チューナＢによるデコード結果から指定ＤＬ＋タグ（コンテントタイプ"SPORTS"）が検索された場合を考える。マイクロコンピュータ３５は、検索された指定ＤＬ＋タグのコンテントタイプ"SPORTS"の文字列を当該ＤＬメッセージから抽出してＤＬ＋オブジェクトを生成する。マイクロコンピュータ３５は、図４（ｂ）に示されるように、プログラムｋの情報（Ensemble: K, Service: k）及びＤＬ＋通知テキスト（Artist: ○○○, Title: □□□）に加えて、チューナＢによるデコード結果から生成されたＤＬ＋オブジェクトのＤＬ＋通知テキスト（Today's Game at Seibu Dome: Lions 2-0 Marines）を表示器２１Ａに表示させる。図４（ｂ）中、ＤＬ＋通知テキスト"Today's Game at Seibu Dome: Lions 2-0 Marines"は、表示器２１Ａの表示画面幅に収まらない。そのため、ＤＬ＋通知テキスト"Today's Game at Seibu Dome: Lions 2-0 Marines"は、マーキー（marquee）表示されている。なお、図４（ｂ）に示される各情報の表示位置は一例である。表示位置は、ユーザが自在に設定することができる。
【００４４】
ＤＬ＋通知テキスト"Today's Game at Seibu Dome: Lions 2-0 Marines"を視読したユーザが当該プログラムの聴取を望む場合があり得る。例えばＨＭＩ２１によるキー操作やタッチ操作によりＤＬ＋通知テキスト"Today's Game at Seibu Dome: Lions 2-0 Marines"が選択されると、マイクロコンピュータ３５は、ＤＡＣ３６へのオーディオ出力をチューナＡからチューナＢに切り替える。これにより、ＤＬ＋通知テキスト"Today's Game at Seibu Dome: Lions 2-0 Marines"を放送するプログラムがスピーカ２２から出力再生される。或いは、ＤＬ＋通知テキスト"Today's Game at Seibu Dome: Lions 2-0 Marines"を放送するプログラムを出力再生するため、チューナＡによるアンサンブルの選局及びプログラムのデコードを変更してもよい。
【００４５】
本実施形態の放送受信機１によれば、ユーザは、一つのオーディオプログラムを聴取すると共に、別のプログラムで放送されている所望のコンテントタイプのＤＬ＋通知テキストを視読することができる。そのため、聴取したい別のオーディオプログラムやその関連情報を速やかかつ簡単に発見することができる。
【００４６】
以上が本発明の実施形態の説明である。本発明は、上記の構成に限定されるものではなく、本発明の技術的思想の範囲において様々な変形が可能である。例えば、本実施形態では、一つのオーディオプログラムの再生処理と独立に一つのプログラムのＤＬ＋通知テキストを処理して表示器２１Ａに表示する。別の実施形態では、チューナ数の増加やＤＬ＋通知テキストの一時保存等を行うことにより、一つのオーディオプログラムの再生処理と独立に複数のプログラムのＤＬ＋通知テキストを処理して表示器２１Ａに同時に表示してもよい。
【００４７】
本実施形態では、受信可能な全周波数帯域のアンサンブルに属するプログラムを対象に指定ＤＬ＋タグを検索している。別の実施形態では、指定ＤＬ＋タグの検索範囲（検索するアンサンブル、プログラム）をユーザ設定等により制限してもよい。
【符号の説明】
【００４８】
１  放送受信機
１０  制御ブロック
２０  入出力ブロック
３０  ＤＡＢ機能ブロック
【図１】
2012100097.tif 000003
【図２】
2012100097.tif 000004
【図３】
2012100097.tif 000005
【図４】
2012100097.tif 000006